(57)【要約】 【課題】防草シートとの間に隙間が生じないようかつ防草シートを効率よく敷設する。【解決手段】本発明に係るクリップ材５は、全体断面がほぼＵ字状になるように構成することでＵ字状凹部７が形成されてなる長尺材であって、見切り材本体２がその上縁側に被せられた防草シート３とともにＵ字状凹部７の開口４を介して該Ｕ字状凹部に挿入されたとき、Ｕ字状凹部７の開口４が拡がる方向に変形しながら、見切り材本体２に嵌め込むことができるようになっている。クリップ材５は、開口４の縁部をそれぞれ内方に折り返すことにより、Ｕ字状凹部７の開口４を挟んで対向配置されてなる折返し部６，６を形成してあるとともに、見切り材本体２及び防草シート３が開口４を介してＵ字状凹部７に挿入される際、その変形によって生じる弾性復元力が折返し部６，６を介して防草シート３に作用するようになっている。【選択図】  図１
2012080852.tif 000002
【特許請求の範囲】
【請求項１】
地盤に埋設される見切り材本体と、該見切り材本体がそれに被せられた防草シートとともに挿入される溝状凹部が形成された長尺状のクリップ材とで構成してなり、該クリップ材は、前記見切り材本体及び前記防草シートの前記溝状凹部への挿入時に該溝状凹部の開口が拡がる方向に変形するとともに、その変形によって生じる弾性復元力が前記溝状凹部の開口を挟んで対向配置された当接部を介して前記防草シートに作用するようになっていることを特徴とする見切り材。
【請求項２】
前記クリップ材を、ほぼＵ字状断面に形成してそのＵ字状凹部を前記溝状凹部とするとともに、その開口縁部をそれぞれ内方に折り返して折返し部をそれぞれ形成し、該折返し部を前記当接部とした請求項１記載の見切り材。
【請求項３】
前記クリップ材を、ほぼＵ字状断面に形成してそのＵ字状凹部を前記溝状凹部とするとともに、その開口縁部近傍に凹凸部をそれぞれ形成し、該凹凸部を前記当接部とした請求項１記載の見切り材。
【請求項４】
地盤に埋設される見切り材本体がそれに被せられた防草シートとともに挿入される溝状凹部を形成してなる長尺状のクリップ材であって、前記見切り材本体及び前記防草シートの前記溝状凹部への挿入時に該溝状凹部の開口が拡がる方向に変形するとともに、その変形によって生じる弾性復元力が前記溝状凹部の開口を挟んで対向配置された当接部を介して前記防草シートに作用するように構成したことを特徴とするクリップ材。
【請求項５】
前記クリップ材を、ほぼＵ字状断面に形成してそのＵ字状凹部を前記溝状凹部とするとともに、その開口縁部をそれぞれ内方に折り返して折返し部をそれぞれ形成し、該折返し部を前記当接部とした請求項４記載のクリップ材。
【請求項６】
前記クリップ材を、ほぼＵ字状断面に形成してそのＵ字状凹部を前記溝状凹部とするとともに、その開口縁部近傍に凹凸部をそれぞれ形成し、該凹凸部を前記当接部とした請求項４記載のクリップ材。
【発明の詳細な説明】
【技術分野】
【０００１】
本発明は、主として芝生が植生された領域の境界に沿って埋設される見切り材及びそれに用いるクリップ材に関する。
【背景技術】
【０００２】
芝生は、樹木や草花と同様のやすらぎを提供してくれるほか、衝撃を和らげることもできるため、住宅の庭や競技場のフィールドあるいは公園の緑地といったさまざまな場所で育成されているが、隣接領域との境界に沿って見切り材を埋設することがある。
【０００３】
かかる見切り材は、芝生とその隣接領域との境界をすっきりと見せることができるほか、ランナー（匍匐茎）が隣接領域に侵入するのを防止するという機能も併せ持つ。
【０００４】
一方、芝生の場合にはその管理に手間と費用がかかるため、住宅の防犯性を高める目的とも相俟って、庭に砂利を敷き込む場合があるが、砂利が敷設された領域の境界に上述した見切り材を埋設するようにすれば、芝生と同様、隣接領域との境界をすっきりと見せることができるほか、砂利の散乱を防止することも可能となる。
【０００５】
昨今の住宅においては、芝生と砂利のメリットとデメリットを勘案しながら、その両方を採用するとともに、芝生と砂利の境界に沿って上述した見切り材を埋設するケースが増えてきた。
【先行技術文献】
【特許文献】
【０００６】
【特許文献１】特開２００９−１６５４１９号公報
【特許文献２】特開２００３−１４３９５３号公報
【発明の概要】
【発明が解決しようとする課題】
【０００７】
ここで、砂利を撒くにあたり、予め防草シートを敷設してからその上に砂利を敷き並べるようにすれば、防草シートの遮光性によって下方での植物の光合成、ひいてはその生育が抑制されるため、砂利が敷設された領域での雑草の繁茂が防止され、雑草を除去する手間を省くことが可能となる。
【０００８】
しかしながら、防草シートの縁部と見切り材とのわずかな隙間から雑草が生えたり、芝生から伸びてきたランナーが見切り材の下縁又は上縁から反対側に廻り込み、上述した隙間を貫通して砂利の敷設領域に根付いてしまうという問題を生じていた。
【０００９】
また、従来、防草シートは、その縁部に沿ってアンカーピンを打ち込むことにより地盤に固定していたが、かかる作業には手間がかかるほか、アンカーピンを打ち込む際、その下端が鋭利であるため、地盤に埋設されたガス管や水道管あるいは電気ケーブル管などに損傷を与える懸念もあった。
【課題を解決するための手段】
【００１０】
本発明は、上述した事情を考慮してなされたもので、防草シートとの間に隙間が生じないようかつ防草シートを効率よく敷設することが可能な見切り材及びそれに用いるクリップ材を提供することを目的とする。
【００１１】
上記目的を達成するため、本発明に係る見切り材は請求項１に記載したように、地盤に埋設される見切り材本体と、該見切り材本体がそれに被せられた防草シートとともに挿入される溝状凹部が形成された長尺状のクリップ材とで構成してなり、該クリップ材は、前記見切り材本体及び前記防草シートの前記溝状凹部への挿入時に該溝状凹部の開口が拡がる方向に変形するとともに、その変形によって生じる弾性復元力が前記溝状凹部の開口を挟んで対向配置された当接部を介して前記防草シートに作用するようになっているものである。
【００１２】
また、本発明に係る見切り材は、前記クリップ材を、ほぼＵ字状断面に形成してそのＵ字状凹部を前記溝状凹部とするとともに、その開口縁部をそれぞれ内方に折り返して折返し部をそれぞれ形成し、該折返し部を前記当接部としたものである。
【００１３】
また、本発明に係る見切り材は、前記クリップ材を、ほぼＵ字状断面に形成してそのＵ字状凹部を前記溝状凹部とするとともに、その開口縁部近傍に凹凸部をそれぞれ形成し、該凹凸部を前記当接部としたものである。
【００１４】
また、本発明に係るクリップ材は請求項４に記載したように、地盤に埋設される見切り材本体がそれに被せられた防草シートとともに挿入される溝状凹部を形成してなる長尺状のクリップ材であって、前記見切り材本体及び前記防草シートの前記溝状凹部への挿入時に該溝状凹部の開口が拡がる方向に変形するとともに、その変形によって生じる弾性復元力が前記溝状凹部の開口を挟んで対向配置された当接部を介して前記防草シートに作用するように構成したものである。
【００１５】
また、本発明に係るクリップ材は、前記クリップ材を、ほぼＵ字状断面に形成してそのＵ字状凹部を前記溝状凹部とするとともに、その開口縁部をそれぞれ内方に折り返して折返し部をそれぞれ形成し、該折返し部を前記当接部としたものである。
【００１６】
また、本発明に係るクリップ材は、前記クリップ材を、ほぼＵ字状断面に形成してそのＵ字状凹部を前記溝状凹部とするとともに、その開口縁部近傍に凹凸部をそれぞれ形成し、該凹凸部を前記当接部としたものである。
【００１７】
本発明に係る見切り材及びそれに用いるクリップ材においては、まず、見切り材本体を地盤に埋設するとともに、該見切り材本体の少なくともいずれかの側に防草シートを敷設する。
【００１８】
次に、防草シートを見切り材本体の上に被せる。
【００１９】
次に、見切り材本体が防草シートとともにクリップ材の溝状凹部に挿入されるように、該クリップ材を見切り材本体に嵌め込む。
【００２０】
このとき、クリップ材は、溝状凹部の開口が拡がる方向に変形するとともに、その変形によって生じる弾性復元力は、溝状凹部の開口を挟んで対向配置された当接部を介して防草シートに作用する。
【００２１】
そのため、クリップ材を見切り材本体に押し込むだけで、防草シートを見切り材本体に固定することが可能となり、従来のようにアンカーピンを地盤に差し込む手間がなくなるとともに、鋭利な先端を有するアンカーピンが、ガス管、水道管等の地中埋設物に損傷を与える懸念もない。
【００２２】
また、防草シートが見切り材本体の上に被さった状態で該見切り材本体に固定されるため、防草シートと見切り材本体との間に隙間が生じる余地がなくなり、雑草の繁茂をより確実に抑制することが可能となる。
【００２３】
クリップ材は、上述した変形が可能でかつ該変形による弾性復元力が生じる限り、材質や断面形状は任意であり、例えば樹脂系材料やステンレス等の金属材料で形成することが可能である。
【００２４】
見切り材本体やクリップ材は、例えば数ｍの長さを単位とした長尺材であって、必要に応じてジョイントを用いながら材軸方向に継ぎ足すことができるように構成しておくのがよい。
【００２５】
見切り材本体は、市販の見切り材、例えば「サスエッジ」（登録商標）、「デュアルエッジ」（登録商標）、「スーパーエッジ」の商品名で販売されているもので構成することができる。
【００２６】
クリップ材は、見切り材本体及び防草シートが溝状凹部に挿入されるように見切り材本体に押し込む際、該溝状凹部の開口が拡がる方向に変形するとともに、その変形によって生じる弾性復元力が溝状凹部の開口を挟んで対向配置された当接部を介して防草シートに作用する限り、その構成は任意であり、例えば、ほぼＵ字状断面に形成してそのＵ字状凹部を前記溝状凹部とするとともに、その開口縁部をそれぞれ内方に折り返して折返し部をそれぞれ形成し、該折返し部を前記当接部とした構成や、ほぼＵ字状断面に形成してそのＵ字状凹部を前記溝状凹部とするとともに、その開口縁部近傍に凹凸部をそれぞれ形成し、該凹凸部を前記当接部とした構成が採用可能である。
【図面の簡単な説明】
【００２７】
【図１】第１実施形態に係る見切り材を示した全体斜視図。
【図２】第１実施形態に係る見切り材を用いて防草シートを固定している様子を示した施工図。
【図３】第１実施形態に係るクリップ材の作用を示した鉛直断面図。
【図４】防草シートの固定が完了した様子を示した鉛直断面図。
【図５】変形例に係るクリップ材を示した鉛直断面図。
【図６】変形例に係るクリップ材を示した全体斜視図。
【図７】第２実施形態に係るクリップ材を示した全体斜視図。
【図８】第２実施形態に係るクリップを用いて防草シートを固定している様子を示した鉛直断面図。
【発明を実施するための形態】
【００２８】
以下、本発明に係る見切り材及びそれに用いるクリップ材の実施の形態について、添付図面を参照して説明する。
【００２９】
（第１実施形態）
図１は、第１実施形態に係る見切り材を示した全体斜視図である。同図に示すように、第１実施形態に係る見切り材１は、見切り材本体２とクリップ材５とで構成してある。
【００３０】
見切り材本体２は、「スーパーエッジ」の商品名で販売されている軟質ポリ塩化ビニル製の長尺状平板であって、板体の両縁に沿って円形断面のリブがそれぞれ形成してあるとともに、板体中央付近には長さ方向に沿った所定間隔ごとに差込部（図示せず）を突設してあり、該差込部にナイフ状のステンレス製アンカーを板体と平行にかつ長さ方向に直交するように差し込んだ上、その先端を地盤に貫入することで、地盤面とほぼ垂直姿勢で該地盤内に埋設固定することができるようになっている。
【００３１】
クリップ材５は、全体断面がほぼＵ字状になるように構成することで溝状凹部としてのＵ字状凹部７が形成されてなるステンレス製の長尺材であって、地盤面と垂直になるように該地盤内に埋設された見切り材本体２がその上縁側に被せられた防草シート３とともにＵ字状凹部７の開口４を介して該Ｕ字状凹部に挿入されたとき、Ｕ字状凹部７の開口４が拡がる方向に変形しながら、該見切り材本体に嵌め込むことができるようになっている。
【００３２】
ここで、クリップ材５は、開口４の縁部をそれぞれ内方に折り返すことにより、Ｕ字状凹部７の開口４を挟んで対向配置されてなる折返し部６，６を形成してあるとともに、見切り材本体２及び防草シート３が開口４を介してＵ字状凹部７に挿入される際、その変形によって生じる弾性復元力が折返し部６，６を介して防草シート３に作用するようになっており、折返し部６，６は、防草シート３の表面にそれぞれ当接して該防草シートを見切り材本体２に狭着するための当接部として機能する。
【００３３】
クリップ材５は、例えば高さが２０ｍｍ程度、長さが４０〜５０ｃｍとなるように形成することが可能であり、長さ方向には必要に応じて適宜継ぎ足すようにすればよい。
【００３４】
本実施形態に係る見切り材１を用いて防草シート３を固定するには、まず図２(a)に示すように、見切り材本体２を地盤２１に埋設する。
【００３５】
見切り材本体２を地盤２１に埋設するにあたっては、芝生や砂利を敷設した状態で該見切り材本体の上縁が地表面と概ね揃うように、地盤２１への埋設深さを調整するとともに、上述した方法で見切り材本体２を地盤２１に埋設固定する。
【００３６】
かかる埋設作業と相前後して、砂利が敷設される側、図２(b)では左側に防草シート３を予め敷設する。
【００３７】
次に、見切り材本体２のうち、地上に露出した部分に防草シート３の縁部を被せるとともに、挿入作業がしやすいよう、該露出部分の側面に防草シート３をぴったりと添わせる。
【００３８】
次に、クリップ材５の開口４を介して見切り材本体２が防草シート３とともに該クリップ材のＵ字状凹部７に挿入されるように、クリップ材５を見切り材本体２に嵌め込む。
【００３９】
このようにすると、クリップ材５は、Ｕ字状凹部７の開口４が拡がる方向に変形するとともに、その変形によって生じる弾性復元力は、図３に示すように開口４を挟んで対向配置された折返し部６，６を介して防草シート３に作用するので、防草シート３は見切り材本体２にしっかりと固定される。
【００４０】
次に、図４に示すように防草シート３の上に砂利４２を撒いて敷き均すとともに、その反対側に芝生４１を敷設する。
【００４１】
以上説明したように、本実施形態に係る見切り材１及びそれに用いるクリップ材５によれば、クリップ材５を見切り材本体２に嵌め込む際、クリップ材５は、Ｕ字状凹部７の開口４が拡がる方向に変形するとともに、その変形によって生じる弾性復元力が、Ｕ字状凹部７の開口４を挟んで対向配置された折返し部６，６を介して防草シート３に作用する。
【００４２】
そのため、クリップ材５を見切り材本体２に押し込むだけで、防草シート３を見切り材本体２に固定することが可能となり、従来のようにアンカーピンを地盤に差し込む手間がなくなるとともに、鋭利な先端を有するアンカーピンが、ガス管、水道管等の地中埋設物に損傷を与える懸念もない。
【００４３】
また、防草シート３が見切り材本体２の上に被せられた状態で該見切り材本体に固定されるため、防草シート３と見切り材本体２との間に隙間が生じる余地がなくなり、かくして雑草の繁茂をより確実に抑制することが可能となる。
【００４４】
また、本実施形態に係る本実施形態に係る見切り材１及びそれに用いるクリップ材５によれば、クリップ材５を、全体がほぼＵ字断面になるように形成し、そのＵ字状凹部７の開口４を挟んで対向するように縁部を折り返して折返し部６，６としたので、防草シート３を長期間にわたり見切り材本体２に確実に固定しておくことが可能となる。
【００４５】
本実施形態では、見切り材本体２として「スーパーエッジ」の商品名で販売されている軟質ポリ塩化ビニル製の長尺状平板を採用したが、防草シートを被せた状態でクリップ材で留めることができる限り、見切り材本体の構造や断面形状は任意であり、地盤面を区画することを目的としたすべての見切り材本体を採用することが可能である。
【００４６】
また、本実施形態では、全体をほぼＵ字断面に形成するとともに、そのＵ字状凹部の開口を挟んで対向するように縁部を折り返して折返し部６，６としたクリップ材５を採用したが、本発明に係るクリップ材はかかる構成に限定されるものではなく、見切り材本体とそれに被せられた防草シートが挿入される溝状凹部が形成され該溝状凹部の開口を挟んで対向配置された当接部が弾性復元力によって防草シートを見切り材本体の側面に押し付けることができるものであれば、その断面形状や構造は任意であり、見切り材本体の断面形状を考慮しつつ、適宜構成することが可能である。
【００４７】
図５は、変形例に係るクリップ材５５を示したものである。
【００４８】
同図に示すようにクリップ材５５は、全体断面が円形の開断面となるように構成することで、溝状凹部としての円形凹部を形成してなり、該円形凹部の開口５４を開いて見切り材本体２ａの上縁に嵌め込んだとき、該円形凹部の開口５４を挟む当接部５６，５６が見切り材本体２ａの上縁側に被せられた防草シート３をしっかりと保持するようになっている。
【００４９】
かかる変形例は、上縁に形成された円形突起５７が比較的大きい見切り材本体２ａに適しており、例えば「デュアルエッジ」（登録商標）の商品名で販売されている見切り材を本発明の見切り材本体とする場合に採用することができる。
【００５０】
また、本実施形態では、防草シート３の上に砂利を敷設するようにしたが、防草シートの上にどのような地盤被覆材を敷設するかは任意であり、例えば砂利に代えて、土や芝生といった地盤被覆材を敷設するようにしてもかまわないし、さらには防草シートの上に地盤被覆材を敷設せず、もっぱら雑草の繁茂を防止する構成としてもかまわない。
【００５１】
また、本実施形態では、防草シート３と反対の側に芝生を植生するようにしたが、芝生を植生しない場合であっても、地盤上の境界をすっきりと見せたい等の理由で見切り材本体を地盤に埋設し、その見切り材本体に防草シートを固定する必要があるのであれば、防草シートと反対の側をどのような地盤被覆材で覆うか、あるいはそもそも地盤被覆材で地盤を覆うかどうかはいずれも任意である。
【００５２】
また、本実施形態では、見切り材本体の一方の側だけに防草シートを敷設する例を示したが、両側に防草シートを敷設する場合であっても、見切り材本体に被せられる防草シートが二重になって厚みが増すことを考慮してクリップ材を構成するようにすれば、本発明を適用することはもちろん可能である。
【００５３】
また、本実施形態では、直線状に構成したクリップ材５を採用したが、本発明に係るクリップ材は直線状に限定されるものではなく、見切り材本体の設置状況に応じて、例えば図６(a)に示すように所定曲率に湾曲させた構成としたり、同図(b)に示すように隅部に対応できるよう、設置状態において平面形が直角となるように構成することが可能である。
【００５４】
（第２実施形態）
次に、第２実施形態に係るクリップ材について説明する。なお、第１実施形態と実質的に同一の部品等については同一の符号を付してその説明を省略する。
【００５５】
図７は、第２実施形態に係るクリップ材８５を示した全体斜視図である。第２実施形態に係るクリップ材８５は同図に示すように、全体断面がほぼＵ字状になるように溝状凹部としてのＵ字状凹部８７が形成されてなるポリ塩化ビニル製の長尺材であって、第１実施形態に係るクリップ材５と同様、地盤面と垂直になるように該地盤内に埋設された見切り材本体２がその上縁側に被せられた防草シート３とともにＵ字状凹部８７の開口８４を介して該Ｕ字状凹部に挿入されたとき、Ｕ字状凹部８７の開口８４が拡がる方向に変形しながら、該見切り材本体に嵌め込むことができるようになっている。
【００５６】
ここで、クリップ材８５を構成するＵ字状凹部８７の開口８４の近傍には、該開口を挟んで対向配置されてなる凹凸部８６，８６が形成してあり、図８でよくわかるように見切り材本体２及び防草シート３が開口８４を介してＵ字状凹部８７に挿入される際、その変形によって生じる弾性復元力が凹凸部８６，８６を介して防草シート３に作用するようになっており、凹凸部８６，８６は、防草シート３の表面にそれぞれ当接して該防草シートを見切り材本体２に狭着するための当接部として機能する。
【００５７】
クリップ材８５は、例えば高さが１５ｍｍ程度、長さが４０〜５０ｃｍとなるように形成することが可能であり、長さ方向には必要に応じて適宜継ぎ足すようにすればよい。
【００５８】
本実施形態に係るクリップ材８５を用いて防草シート３を固定するには、図２乃至図４で示した第１実施形態の施工手順と同様、まず、見切り材本体２を地盤２１に埋設する。
【００５９】
見切り材本体２を地盤２１に埋設するにあたっては、芝生や砂利を敷設した状態で該見切り材本体の上縁が地表面と概ね揃うように、地盤２１への埋設深さを調整するとともに、上述した方法で見切り材本体２を地盤２１に埋設固定する。
【００６０】
かかる埋設作業と相前後して、砂利が敷設される側に防草シート３を予め敷設する。
【００６１】
次に、見切り材本体２のうち、地上に露出した部分に防草シート３の縁部を被せるとともに、挿入作業がしやすいよう、該露出部分の側面に防草シート３をぴったりと添わせる。
【００６２】
次に、クリップ材８５を構成するＵ字状凹部８７の開口８４を介して見切り材本体２が防草シート３とともに該Ｕ字状凹部に挿入されるように、クリップ材８５を見切り材本体２に嵌め込む。
【００６３】
このようにすると、クリップ材８５は、Ｕ字状凹部８７の開口８４が拡がる方向に変形するとともに、その変形によって生じる弾性復元力は、Ｕ字状凹部８７の開口８４を挟んで対向配置された凹凸部８６，８６を介して防草シート３に作用するので、防草シート３は見切り材本体２にしっかりと固定される。
【００６４】
次に、防草シート３の上に砂利４２を撒いて敷き均すとともに、その反対側に芝生４１を敷設する。
【００６５】
以上説明したように、本実施形態に係るクリップ材８５によれば、見切り材本体２に嵌め込む際、Ｕ字状凹部８７の開口８４が拡がる方向に変形するとともに、その変形によって生じる弾性復元力が、Ｕ字状凹部８７の開口８４を挟んで対向配置された凹凸部８６，８６を介して防草シート３に作用する。
【００６６】
そのため、クリップ材８５を見切り材本体２に押し込むだけで、防草シート３を見切り材本体２に固定することが可能となり、従来のようにアンカーピンを地盤に差し込む手間がなくなるとともに、鋭利な先端を有するアンカーピンが、ガス管、水道管等の地中埋設物に損傷を与える懸念もない。
【００６７】
また、防草シート３が見切り材本体２の上に被せられた状態で該見切り材本体に固定されるため、防草シート３と見切り材本体２との間に隙間が生じる余地がなくなり、かくして雑草の繁茂をより確実に抑制することが可能となる。
【００６８】
また、本実施形態に係る本実施形態に係るクリップ材８５によれば、全体がほぼＵ字断面になるように形成し、そのＵ字状凹部８７の開口８４を挟んで対向するように凹凸部８６，８６を設けたので、防草シート３を長期間にわたり見切り材本体２に確実に固定しておくことが可能となる。
【符号の説明】
【００６９】
１                見切り材
２，２ａ          見切り材本体
３                防草シート
４，５４，８４    開口
６                折返し部（当接部）
７，８７          Ｕ字状凹部（溝状凹部）
５，５５，８５    クリップ材
２１                地盤
４１                芝生
４２                砂利
５６                当接部
８６                凹凸部（当接部）
【図１】
2012080852.tif 000003
【図２】
2012080852.tif 000004
【図３】
2012080852.tif 000005
【図４】
2012080852.tif 000006
【図５】
2012080852.tif 000007
【図６】
2012080852.tif 000008
【図７】
2012080852.tif 000009
【図８】
2012080852.tif 000010